(57)【要約】【課題】  本発明は実物の数分の１〜数十分の１の大きさの木や花等の植物を、手数がかからず簡単に低コストで製造することができる人工植物の製造方法を得るにある。【解決手段】  剥離シートあるいは剥離剤が塗布された用紙等の剥離用プリントシートに、硬化樹脂トナーで植物をプリントする植物のプリント工程と、この植物のプリント工程で剥離用プリントシートにプリントされた植物を剥離する植物の剥離工程と、この植物の剥離工程で剥離された少なくとも２個以上の植物を接着剤等で固定して、立体的な人工植物に加工する加工工程とで人工植物の製造方法を構成している。【選択図】  図１
2005254642.tif 000002
【特許請求の範囲】
【請求項１】
剥離シートあるいは剥離剤が塗布された用紙等の剥離用プリントシートに、硬化樹脂トナーで植物をプリントする植物のプリント工程と、この植物のプリント工程で剥離用プリントシートにプリントされた植物を剥離する植物の剥離工程と、この植物の剥離工程で剥離された少なくとも２個以上の植物を接着剤等で固定して、立体的な人工植物に加工する加工工程とを含むことを特徴とする人工植物の製造方法。
【請求項２】
剥離シートあるいは剥離剤が塗布された用紙等の剥離用プリントシートに、紫外線硬化樹脂トナーで幹、枝、葉等を一体状態で備える植物をプリントする植物のプリント工程と、この植物のプリント工程で剥離用プリントシートにプリントされた植物を剥離する植物の剥離工程と、この植物の剥離工程で剥離された少なくとも２個以上の植物を接着剤等で固定して、立体的な人工植物に加工する加工工程とを含むことを特徴とする人工植物の製造方法。
【請求項３】
剥離シートあるいは剥離剤が塗布された用紙等の剥離用プリンとシートに紫外線硬化樹脂トナーで幹、葉、花等を一体状態で備える植物をプリントする植物のプリント工程と、この植物のプリント工程で剥離用プリントシートにプリントされた植物を剥離する植物の剥離工程と、この植物の剥離工程で剥離された少なくとも２個以上の植物を接着剤等で固定して、立体的な人工植物に加工する加工工程とを含むことを特徴とする人工植物の製造方法。
【請求項４】
硬化樹脂トナー、紫外線硬化樹脂トナーはカラートナーであることを特徴とする請求項１、２、３いずれかに記載の人工植物の製造方法。
【請求項５】
加工工程は幹、枝部には補強材を用いて立体的な人工植物に加工することを特徴とする請求項１、２、３いずれかに記載の人工植物の製造方法。
【発明の詳細な説明】
【技術分野】
【０００１】
本発明は主に住宅やビル等の建物等の模型の飾りに使用される造花等の人工植物の製造方法に関する。
【背景技術】
【０００２】
従来の造花は、実物の花と同じ大きさになるように作られているため、住宅やビル等の建物等の模型に使用するには大きく、使用することができないという欠点があった。
また、造花は幹、枝、葉、花等をそれぞれ組み合わせて作られているため、手数がかかり、コスト高になるという欠点があった。
【特許文献１】特になし。
【発明の開示】
【発明が解決しようとする課題】
【０００３】
本発明は以上のような従来の欠点に鑑み、実物の数分の１〜数十分の１の大きさの木や花等の植物を、手数がかからず簡単に低コストで製造することができる人工植物の製造方法を提供することを目的としている。                    
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は剥離シートあるいは剥離剤が塗布された用紙等の剥離用プリントシートに、硬化樹脂トナーで植物をプリントする植物のプリント工程と、この植物のプリント工程で剥離用プリントシートにプリントされた植物を剥離する植物の剥離工程と、この植物の剥離工程で剥離された少なくとも２個以上の植物を接着剤等で固定して、立体的な人工植物に加工する加工工程とで人工植物の製造方法を構成している。
【発明の効果】
【０００６】
以上の説明から明らかなように、本発明にあっては次に列挙する効果が得られる。
【０００７】
（１）とで構成されているので、剥離用プリントシートに硬化樹脂トナーでプリントによって植物を形成するので、多数個の枝や葉や花があっても、容易に任意の大きさに縮小した人工植物を形成することができる。
【０００８】
（２）前記（１）によって、剥離用プリントシートに植物をプリントしているので、容易に、剥離用プリントシートにプリントされた植物を剥離することができる。
【０００９】
（３）前記（１）、（２）によって、剥離用プリントシートから剥離された植物の幹の部分を接着剤等で少なくとも２個以上固定することにより、立体的な人工植物に加工することができるとともに、幹の部分が少なくとも２個以上接着剤で固定されるため、強固となり、幹としての機能を果たし、立体的に飾ることができる。
【００１０】
（４）請求項２、３も前記（１）〜（３）と同様な効果が得られる。
【００１１】
（５）請求項４はプリントで着色した植物が得られるので、カラフルな立体的な人工植物を作ることができる。
【００１２】
（６）請求項５は補強材を用いることにより、立体的に加工がさらに容易にできるとともに、補強材で幹や枝の強度の向上や、幹や枝の方向も容易に変えることができる。
【発明を実施するための最良の形態】
【００１３】
以下、図面に示す本発明を実施するための最良の形態より、本発明を詳細に説明する。
【００１４】
図１ないし図５に示す本発明を実施するための最良の第１の形態において、１は剥離シートあるいは接着剤が塗布された用紙等の剥離用プリントシート２に、カラーの紫外線あるいは熱硬化性樹脂トナーで植物３をプリントする植物のプリント工程で、この植物のプリント工程１は紫外線あるいは熱硬化性樹脂トナーを使用することができるカラープリンターあるいはカラーコピー機４あるいはスクリーン印刷等であれば、なにを使用してもよい。
また、剥離プリントート２にプリントされる植物３は幹５、この幹５の両側面に枝６、葉７が一体となるように接続するものが用いられる。
【００１５】
８は前記植物のプリント工程１で剥離用プリントシート２にプリントされた植物３を剥離する植物の剥離工程で、この植物の剥離工程８は熱を加えて、植物３部分の熱膨張と剥離用プリントシート２の熱膨張の差を利用して剥離してもよく、あるいは手作業で剥離してもよい。
【００１６】
９は前記植物の剥離工程８で剥離された少なくとも２個以上、本発明の実施の形態では２個の植物３、３を用いて、幹５部分を接着剤１０で固定して立体的な人工植物１１に加工する加工工程で、この加工工程９は２個の植物３、３のうちの一方の植物３の一方の枝６が他方の植物３の枝６、６間に挿入して、直交するように位置させて、幹５、５部分を接着剤１０で固定したり、２個の植物３、３の幹５、５部分をほぼ９０度に曲げた状態で幹５、５部分を接着固定して、ほぼ９０度の位置に枝６、６、６、６が位置するように固定する作業を行なう。
【００１７】
上記のような製造方法で立体的な人工植物１１を製造すると、枝６や葉７が多数あっても、プリントするだけで１枚の植物３となり、これを少なくとも２個以上固定して立体的にするため、加工に手数がかからず、低コストで製造することができる。
また、でき上がった立体的な人工植物１１は任意の大きさに縮小されているため、住宅やビル等の建物等の模型の飾りに違和感なく使用することができる。
なお、立体的な人工植物１１は地面に、該当する部分に幹５の下部を差し込んだり、鉢１２に植えた状態にして使用される。
[発明を実施するための異なる形態]
【００１８】
次に、図６ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図６ないし図８に示す本発明を実施するための第２の形態において、前記本発明を実施するための最良の第１の形態と主に異なる点は、２個の植物３、３を幹５と枝６の補強となる幹部１３と枝部１４を有する針金等の補強材１５に、２個の植物３、３の幹５と枝６を幹部１３、枝部１４に接着固定する立体的な人工植物１１Ａに加工する加工工程９Ａを用いた点で、このような加工工程９Ａを用いた人工植物の製造方法でも、前記本発明を実施するための最良の第１の形態と同様な作用効果が得られるとともに、幹５や枝６を任意の方向に曲げたり、該部位の強度の向上を図ることができる。
【００２０】
図９ないし図１１に示す本発明を実施するための第３の形態において、前記本発明を実施するための第２の形態と主に異なる点は、剥離用プリントシート２に幹５、花１６、葉７Ａが一体状態で備える植物３Ａをプリントする植物のプリント工程１Ａを用いた点で、このような植物のプリント工程１Ａを用いた製造方法で立体的な人工植物１１Ｂを製造しても、前記本発明を実施するための第２の形態と同様な作用効果が得られる。
【００２１】
図１２ないし図１５に示す本発明を実施するための第４の形態において、前記本発明を実施するための第２の形態と主に異なる点は、幹５、この幹５の一方の側面に枝６、葉７が一体となるように接続する植物３Ｂを剥離用プリントシート２にプリントする植物のプリント工程１Ｂと、補強材１５に複数個、本発明の実施の形態では６枚の植物３Ｂの幹５を所定間隔で接着剤１０で固定する立体的な人工植物１１Ｃに加工する加工工程９Ｂとを用いた点で、このような植物のプリント工程１Ｂや加工工程９Ｂを用いた人工植物の製造方法でも、前記本発明を実施するための第２の形態と同様な作用効果が得られる。
【００２２】
図１６ないし図１８に示す本発明を実施するための第５の形態において、前記本発明を実施するための第２の形態と主に異なる点は、鉄粉を含ませた熱硬化あるいは紫外線硬化樹脂トナーを用いた植物のプリント工程１Ｃを用いた点で、このような植物のプリント工程１Ｃを用いた人工植物の製造方法でも、前記本発明を実施するための第２の形態と同様な作用効果が得られるとともに、磁石で形成された小さな花１６Ａを人工植物１１Ｄに簡単に吸着固定させたり、外したりすることができる。
【００２３】
なお、前記本発明の各実施の形態では幹５、この幹５の両側面に枝６、葉７が一体となるように接続したり、幹５、花１６、葉７Ａが一体状態で備える植物について説明したが、本発明はこれに限らずこれらをそれぞれ分離した植物を植物のプリント工程で行ってもよい。
【産業上の利用可能性】
【００２４】
本発明は人工植物を製造する産業、あるいは模型を製造する製造する産業で利用される。
【図面の簡単な説明】
【００２５】
【図１】本発明を実施するための最良の第１の形態の工程図。
【図２】本発明を実施するための最良の第１の形態の植物のプリント工程の説明図。
【図３】本発明を実施するための最良の第１の形態の剥離工程の説明図。
【図４】本発明を実施するための最良の第１の形態の加工工程の概略説明図。
【図５】本発明を実施するための最良の第１の形態の人工植物の説明図。
【図６】本発明を実施するための第２の形態の工程図。
【図７】本発明を実施するための第２の形態の加工工程の概略説明図。
【図８】本発明を実施するための第２の形態の人工植物の説明図。
【図９】本発明を実施するための第３の形態の工程図。
【図１０】本発明を実施するための第３の形態の植物のプリント工程の説明図。
【図１１】本発明を実施するための第３の形態の人工植物の説明図。
【図１２】本発明を実施するための第４の形態の工程図。
【図１３】本発明を実施するための第４の形態の植物のプリント工程の説明図。
【図１４】本発明を実施するための第４の形態の加工工程の概略説明図。
【図１５】本発明を実施するための第４の形態の人工植物の説明図。
【図１６】本発明を実施するための第５の形態の工程図。
【図１７】本発明を実施するための第５の形態の植物のプリント工程の説明図。
【図１８】本発明を実施するための第５の形態の人工植物の説明図。
【符号の説明】
【００２６】
１、１Ａ、１Ｂ、１Ｃ：植物のプリント工程、
２：剥離用プリントシート、    ３、３Ａ、３Ｂ：植物、
４：カラープリンターあるいはカラーコピー機、
５：幹、                      ６：枝、
７、７Ａ：葉、                ８：植物の剥離工程、
９、９Ａ、９Ｂ：加工工程、    １０：接着剤、
１１、１１Ａ、１１Ｂ、１１Ｃ、１１Ｄ：人工植物、
１２：鉢、                    １３：幹部、
１４：枝部、                  １５：補強材、
１６、１６Ａ：花。
【図１】
2005254642.tif 000003
【図２】
2005254642.tif 000004
【図３】
2005254642.tif 000005
【図４】
2005254642.tif 000006
【図５】
2005254642.tif 000007
【図６】
2005254642.tif 000008
【図７】
2005254642.tif 000009
【図８】
2005254642.tif 000010
【図９】
2005254642.tif 000011
【図１０】
2005254642.tif 000012
【図１１】
2005254642.tif 000013
【図１２】
2005254642.tif 000014
【図１３】
2005254642.tif 000015
【図１４】
2005254642.tif 000016
【図１５】
2005254642.tif 000017
【図１６】
2005254642.tif 000018
【図１７】
2005254642.tif 000019
【図１８】
2005254642.tif 000020
【手続補正書】
【提出日】平成16年8月6日(2004.8.6)
【手続補正１】
【補正対象書類名】明細書
【補正対象項目名】０００７
【補正方法】変更
【補正の内容】
【０００７】
（１）剥離用プリントシートに硬化樹脂トナーでプリントによって植物を形成するので、多数個の枝や葉や花があっても、容易に任意の大きさに縮小した人工植物を形成することができる。